(57)【特許請求の範囲】
【請求項１】
金属板からなる接点板と、該金属板が埋設されて保持されると共に、合成樹脂の成型品からなる支持部材とを有するスイッチ基板を備え、前記接点板は、固定接点を構成する平板状の基部と、該基部に設けられ該基部を貫通する通孔と、該通孔の全周縁に渡り前記基部と繋がって突出する突出部とを有し、前記支持部材は、前記基部の一面を覆うと共に、前記基部の前記固定接点となる他面を露出させて支持する基体と、前記通孔を介して前記突出部内に充填された充填部とを有し、前記突出部は、前記基部の前記一面に突出して先端に向かって幅狭でテーパ状に形成されており、前記基部の前記固定接点となる前記他面を露出させた状態で前記突出部が前記支持部材内に埋設されることで、前記接点板が前記支持部材に保持されていることを特徴とするスイッチ。
【請求項２】
前記充填部の前記他面側における端面は、前記接点板の前記他面と面一になっていることを特徴とする請求項１に記載のスイッチ。
【請求項３】
前記接点板は、該接点板に接触して電気信号を出力する可動接点が接離する部分である接点部を有し、前記突出部は、前記接点部を挟んだ両側に設けられていることを特徴とする請求項１、又は２に記載のスイッチ。
【請求項４】
前記接点板は複数個から構成され、隙間部を介して隣り合うように配置されて一個の前記支持部材によって保持され、前記突出部は前記隙間部の近傍に一対形成されたことを特徴とする請求項１乃至３の何れかに記載のスイッチ。
【請求項５】
前記スイッチ基板の前記接点板に、多方向に傾倒する操作部材を構成する可動接点が接離することで、接点の切換が行われることを特徴とする請求項１乃至４の何れかに記載のスイッチ。
【発明の詳細な説明】
【０００１】
【発明の属する技術分野】
本発明は、携帯電話等の電子機器に使用されるスイッチ、又は携帯電話等の電子機器の操作に用いられる多方向入力装置の方位検出用の傾倒スイッチとして使用されるスイッチに関する。
【０００２】
【従来の技術】
従来のスイッチの図面を説明すると、図１４は従来のスイッチの接点板の上面図、図１５は従来のスイッチの回転体の上面図、図１６は図１５の１６−１６線における断面図である。
【０００３】
従来のスイッチを図１４〜図１６に基づいて説明すると、従来のスイッチは接点の切換を行う回転型エンコーダとして用いられている。
【０００４】
回転体Ｒは、接点板５０と該接点板５０が射出成型によって埋設されている絶縁樹脂からなる支持部材５１とから形成されている。接点板５０は、導電性を有する金属製からなり、円状の平板からなる基板５０ａと、該基板５０ａを貫通すると共に、基板５０ａの中央部から外周部にかけて形成された通孔５０ｂと、通孔５０ｂの一部の縁部から内方に突出すると共に、直角に折り曲げられて形成されたＬ字状の突出片５０ｃと、通孔５０ｂを径方向で橋渡すと共に凹状に凹陥して形成された連結部５０ｄと、中心に形成された貫通孔５０ｅとを有する。
【０００５】
上記のような接点板５０は、通孔５０ｂがプレス加工により打ち抜かれ、通孔５０ｂから突出した突片を絞り加工により直角に折り曲げて突出片５０ｃを形成すると共に、通孔５０ｂ内に位置し、内側の部分と外側の部分とを径方向で連結する連結片を絞り加工により陥没させて連結部５０ｄを形成する。
【０００６】
支持部材５１は、合成樹脂の成型品から構成され、円状の薄板を呈する基体５１ａと、通孔５０ｂ内に充填されて成型される充填部５１ｂと、該基体５１ａの中央部から上方に突出する軸受部５１ｃとを有し、基体５１ａに接点板５０の下面が密着されると共に、通孔５０ｂ内に充填部５１ｂが充填され、また、貫通孔５０ｅから軸受部５１ｃが突出した状態になっている。さらに、突出片５０ｃ及び連結部５０ｄは、図１６に示すように、充填部５１ｂ内に埋め込まれた状態になっている。
【０００７】
このような構成をした回転板Ｒは、上面に摺動子（図示せず）が接触した状態で配設され、軸受部５１ｃに嵌入されて取り付けられた回転軸（図示せず）が回転することによって摺動子がＯＮ、ＯＦＦの切換動作（スイッチ動作）を繰り返してパルス信号を出力する。
【０００８】
【発明が解決しようとする課題】
従来のスイッチたる回転体Ｒは図１６のように、通孔５０ｂの一部の縁部から内方に突出したＬ字状の突出片５０ｃが、充填部５１ｂ内に埋め込まれて、接点板５０が支持部材５１に保持されているが、Ｌ字状の突出片５０ｃは支える部分が少ない、あるいは任意の方向（特に高さ方向）からの荷重に対して強度が弱く、長期の回転体Ｒの使用により突出片５０ｃが変形して、突出片５０ｃと支持部材５１との保持強度が低下して、支持部材が反って剥離するという問題があった。また、Ｌ字状の突出片５０ｃの強度を高めるため、多数の突出片５０ｃ及び連結部５０ｄを設ける必要が生じ、これによって加工性が悪いという問題があった。
【０００９】
本発明はかかる課題に鑑みてなされたものであり、突出部を通孔の全周縁に渡って形成することで、接点板の保持強度を高め、信頼性の高いスイッチを提供することを目的とする。
【００１０】
【課題を解決するための手段】
上記課題を解決するための第１の解決手段として、本発明のスイッチは、金属板からなる接点板と、該金属板が埋設されて保持されると共に、合成樹脂の成型品からなる支持部材とを有するスイッチ基板を備え、前記接点板は、固定接点を構成する平板状の基部と、該基部に設けられ該基部を貫通する通孔と、該通孔の全周縁に渡り前記基部と繋がって突出する突出部とを有し、前記支持部材は、前記基部の一面を覆うと共に、前記基部の前記固定接点となる他面を露出させて支持する基体と、前記通孔を介して前記突出部内に充填された充填部とを有し、前記突出部は、前記基部の前記一面に突出して先端に向かって幅狭でテーパ状に形成されており、前記基部の前記固定接点となる前記他面を露出させた状態で前記突出部が前記支持部材内に埋設されることで、前記接点板が前記支持部材に保持されている構成とした。
【００１１】
また、第２の解決手段として、本発明のスイッチの前記充填部の前記他面側における端面は、前記接点板の前記他面と面一になっている構成とした。
【００１４】
また、第３の解決手段として、本発明のスイッチの前記接点板は、該接点板に接触して電気信号を出力する可動接点が接離する部分である接点部を有し、前記突出部は、前記接点部を挟んだ両側に設けられている構成とした。
【００１５】
また、第４の解決手段として、本発明のスイッチの前記接点板は複数個から構成され、隙間部を介して隣り合うように配置されて一個の前記支持部材によって保持され、前記突出部は前記隙間部の近傍に一対形成された構成とした。
【００１６】
また、第５の解決手段として、本発明のスイッチの前記スイッチ基板の前記接点板に、多方向に傾倒する操作部材を構成する可動接点が接離することで、接点の切換が行われる構成とした。
【００１７】
本発明のスイッチの第１の実施の形態に係る図面を説明すると、図１は本発明のスイッチの第１の実施の形態が使用されている多方向入力装置の上面図、図２は図１の２−２線における断面図、図３は本発明のスイッチの第１の実施の形態が使用されている多方向入力装置の分解斜視図、図４は本発明のスイッチの第１の実施の形態が使用されている多方向入力装置に係る下ケースの下面図、図５は図４の５−５線における断面図、図６は本発明のスイッチの第１の実施の形態に係る要部拡大断面図である。
【００１８】
また、図７は、本発明のスイッチの第１の実施の形態が使用されている多方向入力装置に係る操作部材の要部断面図、図８は本発明のスイッチの第１の実施の形態が使用されている多方向入力装置に係る各部材が埋設された支持部材の下面図、図９は図８の図９−９線における断面図、図１０ａは本発明のスイッチの第１の実施の形態に係る要部斜視図、図１０ｂは図１０ａの１０ｂ−１０ｂ線における断面図、１１、図１２は本発明のスイッチの第１の実施の形態が使用されている多方向入力装置の動作を説明するための断面図である。
【００１９】
本発明のスイッチの第１の実施の形態は、例えば多方向入力装置の傾倒スイッチとして使用され、まずこの多方向入力装置について説明する。
下ケース１は、図３〜図５に示すように、８角形状の平板からなる底壁部２と、底壁部２の外周側縁から立設された側壁部３とを有し、底壁部２は、中央に形成された上下に貫通し、同一円周上に配設された扇状の４個の第１の孔２ａと、これ等の第１の孔２ａ間に位置して十字状に形成されている受け部２ｂと、第１の孔２ａを挟むような位置に形成されている一対の第２の孔２ｃとを有している。また、底壁部２は、図３に示すように、上面に互いに対向するように４箇所に設けられた突起２ｄを有し、また、図４、図５に示すように、下面の外縁に対向するように設けられた複数の凹部２ｅを有している。
【００２０】
側壁部３は、中央に突出する突出部３ｃが形成された第１の側壁部３ａと、第１の側壁部３ａに隣り合う第２の側壁部３ｂとで構成されており、この第１、第２の側壁部３ａ、３ｂが交互に円周上に配設されて１つの８角形状の側壁部３が形成されている。
【００２１】
金属板からなる第２の固定接点４は、丸形状の接点部４ａと、該接点部４ａから外方に延びる端子部４ｂとを有しており、接点部４ａは第１の孔２ａの上方を塞いだ状態で底壁部２の表面に露出し、端子部４ｂは外方に向かって埋設された後裏面に露出し、再び埋設されて側面に突出し、先端が折り曲げられて凹部２ｅに収納されている。このように埋設された第２の固定接点４の接点部４ａの背面には、中央部を通って十字状横切るように受け部２ｂが位置し、接点部４ａの背面はこの受け部２ｂによって支持された状態となっている。
【００２２】
金属板からなるコモン接点５は、弓状をなす基部５ａと、基部５ａの両端の先端に位置する長方形状の接点部５ｂと、基部５ａの一部から外方に延びる端子部５ｃとを有している。そして、接点部５が一対の第２の孔２ｃの上方を塞いだ状態で底壁部２の表面に露出すると共に、基部５ａが接点部４ａを囲んだ状態で底壁部２の表面に露出し、端子部５ｃの先端が折り曲げられて凹部２ｅに収納された状態で、このコモン接点５は底壁部２に埋設されている。
【００２３】
第２の可動接点６は、金属製のドーム状の板バネからなり、底壁部２の４個の突起２ｄにガイドされて、底壁部２の表面に載置される。第２の可動接点６が載置されると、この第２の可動接点６の外周縁がコモン接点５の接点部５ｂに常時接触し、頂部６ａが第２の固定接点４の接点部４ａと接離可能な状態となる。なお、この第２の可動接点６は、突起２ｄによって移動が規制されている。そして、この第２の可動接点６と第２の固定接点４、及びコモン接点５とでプッシュスイッチＳ１が形成されている
【００２４】
操作部材１０は、金属製の８角形状をなした薄板からなる第１の可動接点１１と、該第１の可動接点１１の中央部が埋設される合成樹脂からなるつまみ部１２とを有し、第１の可動接点１１には、つまみ部１２の外周を囲むように軸方向に上方に突出して、８角形をなす凸条からなる突起部１１ａと、外周に桟部を残してこの突起部１１ａから外方に向かって形成された逆三角形状をなす貫通孔である複数（８個）の逃げ部１１ｂと、桟部の外周部に形成されている凹部１１ｃと、下面の中央部に半球状に形成されている接触部１１ｄを有している。つまみ部１２は、略角柱状からなり、薄板状の基部１２ａと、該基部１２ａの中心から上方に延びて形成された先端が４角柱からなる柱部１２ｂとを有しており、第１の可動接点１１の中央部に形成された接触部１１ｄの両端部等が基部１２ａに埋設されている。
【００２５】
そして、つまみ部１２に第１の可動接点１１が埋設されると、第１の可動接点１１はつまみ部１２の基部１２ａから外方に放射状に延びるように位置し、接触部１１ｄは基部１２ａの下面から下方に露出する状態となる。なお、図２に示すように、第１の可動接点１１と接触部１１ｄとの間には、複数の通孔１１ｅが形成されているが、この通孔１１ｅは、樹脂が充填されて、つまみ部１２の基部１２ａと柱部１２ｂとを繋ぐための連結部として機能し、可動接点１１を強固につまみ部１２に保持するものである。
このような構成をなした操作部材１０は、第２の可動接点６が載置されている下ケース１内に傾倒可能に収納される。この時、第１の可動接点１１の凹部１１ｃ内に、第１の側壁部３の突出部３ｃが位置して、ガイドされて、第１の可動接点１１は下ケース１に収納されると共に、この凹部１１ｃと突出部３ｃのはめ合わせによって、操作部材１０の回転止めとしても機能する。また、操作部材１０が下ケース１に収納されると、第１可動接点１１の接触部１１ｄの外表面が、第２可動接点６に接触するので、球面同士の接触となり、操作部材１０がスムーズに傾倒するようになる。
【００２６】
本発明のスイッチの接点板たる４個の第１の固定接点１５はそれぞれ金属製からなり、図３、図８に示すように、略扇状をなす基部１５ａと、この基部１５ａから下方に折り曲げられて形成された端子部１５ｂと、基部１５ａの略中央に形成された細長孔１５ｃと、該細長孔１５ｃを挟んだ両端に形成されている径の小さい一対の通孔１５ｄを有している。通孔１５ｄは、全周縁に渡り基部１５ａと繋がって、基部１５ａから先端に向かって幅狭にテーパ状に突出する突出部１５ｅを有し、この突出部１５ｅの先端に形成された丸孔１５ｆと通孔１５ｄは連通した状態となっている。このような突出部１５ｅは、第１の固定接点１５のプレス加工時に、丸孔１５ｆを形成し、その後ポンチによって突き出し形成することで簡単に設けることができ、全周縁が基部１５ａと繋がっているので強度が高いものとなっている。
【００２７】
当接部１６は、金属製の薄板からなり、中央に８角形状の通孔１６ａを有するリング状部１６ｂと、このリング状部１６ｂから４方に延びて形成されている脚部１６ｃとを有する。なお、当接部１６ｂは必ずしも金属からなる必要はなく、リジッドな合成樹脂から構成しても良い。
【００２８】
これら第１の固定接点１５及び当接部１６は、上ケースを形成する合成樹脂からなる支持部材１７に埋設されて、支持部材１７に一体化されて固定されてスイッチ基板１８が形成される。支持部材１７は、合成樹脂の成型品からなり、図３、８，９に示すように、８角形状の薄板からなり、中央部に８矩形状の通孔１７ｄを有する基体１７ａと、基体１７ａの下面において下方に突出して形成されている三角形状の凸部１７ｂと、基体１７ａの外縁に形成され互いに対向するように位置する繋ぎ部１７ｃと、基体１７ａと繋がり突出部１５ｅ内に充填される充填部１７ｅを有する。
【００２９】
そして、第１の固定接点１５及び当接部１６は、支持部材１７に対して同一平面上に埋設されて一体化される。複数の第１の固定接点１５は、図１０に示すように、上面が支持部材１７の基体１７ａによって支持され、突出部１５ｅが、基体１７ａと、丸孔１５ｆを介して突出部１５ｅ内に充填された充填部１７ｅとの間に埋設されて、第１の固定接点１５は、支持部材１７に強固に保持されている。即ち、突出部１５ｅが通孔１５ｄの全周縁に渡っているので、表面積が大きくなり、支持部材１７との接触面積も大きくなり、保持強度が高まる。また、突出部１５ｅがテーパ状となっているので、高さ方向における、樹脂自体の反りによる力や、外部からの荷重が分散されるので、高さ方向の強度がより高まる。なお、充填部１７ｅと第１の固定接点１５の下面が面一である状態になっている。
また、図８に示すように、突出部１５ｅは第１の固定接点１５の両端部に設けられて強固に第１の固定接点１５が固定されており、樹脂の収縮あるいは径年変化で樹脂に反り等が発生しても樹脂が浮き上がることはない。また、第１固定接点１５同士の間の隙間部１５ｈの近傍に一対の突出部１５ｅが形成されている状態になっている。さらに、突出部１５ｅがテーパ状になっているので、成型時に合成樹脂が流れやすく確実に充填部１７ｅが形成されるようになっている。
【００３０】
また、基体１７ａと凸部１７ｂは、細長孔１５ｃ及び第１の固定接点１５を溝部１７ｆの２箇所で上下方向に連結し、この連通部を介して挟んで保持すると共に、隣り合う第１の固定接点１５部分も、繋ぎ部１７ｃによって基部１７ａと一体化している。
【００３１】
また、第１の固定接点１５より中央側に位置する当接部１６は、リング状部１６ｂが基体１７ａと凸部１７ｂとに挟まれた状態で保持されると共に、また、通孔１６ａが支持部材１７の通孔１７ｄと連通した状態となっている。
【００３２】
このような構成をした、第１の固定接点１５及び当接部１６が埋設されている支持部材１７は、上ケースとして下ケース１の開放部を覆うように固定され、上ケースたる支持部材１７と、下ケース１とでケーシング７が構成される。この時、図２に示すように、第１の固定接点１５の端子部１５ｂが、内方に折り曲げられて底壁部２の凹部２ｅ内に係合し、固定が確実となる。また、操作部材１０のつまみ部１２は、当接部１６の通孔１６ａから突出した状態となる。
【００３３】
支持部材１７が下ケース１に固定されると、図２に示すように、操作部材１０は第２の可動接点６の付勢力によって、突起部１１ａが当接部１６の下面に圧接する状態となる。この突起部１１ａが当接部１６の背面に当接して位置決めされることにより、第１可動接点１１が第１の固定接点１５に対して離間している。そして、第１可動接点１１と第１の固定接点１５とで、傾倒スイッチＳ２を構成し、通常時ＯＦＦ状態となっており、省電力化を図ることができる。
【００３４】
そして、操作部材１０は、図１０を参照するに、突起部１１ａと当接部１６との当接点を第１の支点Ａとして傾倒可能であり、操作部材１０が傾倒すると、第１の固定接点１５と第１の可動接点１１とが接触し、第１の固定接点１５とコモン接点５とが、第１の可動接点１１と第２の可動接点６を介して導通して、ＯＮされ、第１の電気信号たる方位検出信号を出力する。即ち、第１の固定接点１５の端子部１５ｂとコモン接点５間がＯＮとなり、方位検出信号が出力されるようになっている。
【００３５】
さらに、操作部材１０を同一方向に傾けると、図１２を参照するに、操作部材１０は、第１の固定接点１５と第１の可動接点１１との接触点を第２の支点Ｂとして傾倒する。すると、接触部１１ｄが下方に移動することにより第２の可動接点６を押圧して、この第２の可動接点６が反転し、頂部６ａが第２の固定接点４の接点部４ａと接触する。そして、コモン接点５と第２の固定接点４とが導通してＯＮとなり、第２の電気信号たる確定信号を出力する。
【００３６】
このように第１の可動接点１１が第１の固定接点１５と接離することで、第１の固定接点１５の接触部１５ｇには負荷がかかり、さらに接点部１５ｇは第２の支点Ｂとしても機能するので、更なる負荷がかかる。本発明のスイッチは、接点部１５ｇの両側に突出部１５ｅが設けられているので、この負荷により第１の固定接点１５と支持部材１７の保持強度が弱まるという恐れが低減される。更に、第１の固定接点１５同士の間に形成された隙間部１５ｈの近傍に突出部１５ｅが一対形成されているので、第１の固定接点１５の隣り合う方向（斜め方向）即ち、隙間部１５ｈ方向の傾倒による負荷によっても、第１の固定接点１５が浮き上がる等の恐れは低減される。なお、第１の可動接点１１の逃げ部１１ｂに、凸部１７ｂが出入り可能となっているので、薄型化が可能で操作部材１０の傾倒がスムーズに行われると共に、傾倒のガイドにもなっている。
【００３７】
カバー部材２０は、金属製からなり、中央に円形の通孔２０ａが形成されている基板２０ｂと、基板２０ｂの対向する２辺から下方に折り曲げられて形成されている脚部２０ｃとを有する。このような形状をしたカバー部材２０は、支持部材１７の表面を覆うと共に、脚部２０ｃが内方に折り曲げられて底壁部２の凹部２ｅ内に係合し、カバー部材２０の固定が確実となる。このカバー部材２０は、電気シールドとしての機能を有し、端子部２０が図示せぬ配線基板に形成されたグランドパターン等に接続されて、外部から静電気等がグランドパターンに流れるようになっており、より確実な検出を可能とするものである。
【００３８】
本発明のプッシュスイッチが使用される多方向入力装置は、上記の様な構成を有するが、次にその動作について図１１、図１２に基づいて説明すると、操作部材１０が、十字状の位置に配設された第１の固定接点１５の内の１つの方向に傾倒されると、操作部材１０は第１の支点Ａを支点として傾倒し、第１の可動部材１１と、第１の固定接点１５とが接触して、第１の電気信号たる方位検出信号が、図示せぬ配線基板に配置されているマイコンに入力される。さらに、操作部材１０が傾倒されると、操作部材１０は第２の支点Ｂを支点として傾倒し、接触部１１ｄによって第２の可動接点６が下方に押圧されて、第２の固定接点４と接触する。そして、第２の固定接点４と第２の可動接点６とが接触すると、第２の電気信号たる確定信号が図示せぬ前記マイコンに入力されて、該マイコンから傾倒方位が確定した信号（方位確定信号）が、外部の電気機器に出力される。この時、操作者は、第２の可動接点６が反転したことにより、クリック感が得られるので、確実に方位確定信号が出力されたことを認識できるようになっている。
【００３９】
次に、操作部材１０への押圧力が解除されると、第２の可動部材６が復帰することによって、この付勢力によって接触部１１ｄが上方に押圧されて、突起部１１ａが当接部１６に当接することによって、操作部材１０が中立位置に自動的に復帰して、図２の状態に戻る。操作部材１０が中立位置に復帰すると、第２の固定接点４と第２の可動接点６とが離間するのはもとより、第１の固定接点１５と第１の可動接点１１とが離間するので、両方のスイッチＳ１、Ｓ２がＯＦＦ状態となり、小電力化に資する。
【００４０】
また、操作部材１０は８方向に移動可能であるので、十字状の位置に配設された第１の固定接点１５の隣り合う方向（斜め方向）に操作部材１０が傾倒した時は、２個の第１の固定接点１５と、第２の可動接点１１とが接触して、マイコンに第１の電気信号が入力され、マイコンが斜め方向に傾倒したことを認識するようになっている。そして、この状態で操作部材１０が更に傾倒されると、前述と同様に、プッシュスイッチＳ１が操作されて確定信号がマイコンに入力される。これらの、操作部材１０の傾倒動作で、第１の固定接点１５と支持部材１７との保持強度が弱まる恐れが、突出部１５ｅによって低減されるのは上記の説明の通りである。
【００４１】
なお、操作部材１０が第１の支点Ａを支点として傾倒している時に、傾倒動作に代えて、該操作部材１０を軸方向に押圧動作して、第２の固定接点４と第２の可動接点６とをＯＮにしても良い。
【００４２】
さらに、中立状態で操作部材１０を軸方向に押圧すると、第１の固定接点１５と第１の可動接点１１とが離間した状態、即ち傾倒スイッチＳ２がＯＦＦ状態で、第２の固定接点４と第２の可動接点６とが接触してプッシュスイッチＳ１がＯＮ状態となり、マイコンに第２の電気信号のみが入力されるようになっている。この場合、マイコンは、独立のプッシュスイッチＳ１からの信号を外部の電気機器に出力するようになっている。
【００４３】
このように操作部材１０が傾倒、押圧されることによって、第２の可動部材６が繰り返し反転して頂部６ａが第２の固定接点４の接点部４ａと接触し、該接点部４ａに下方への押圧力が度々加わるが、接点部４ａは十字状の受け部２ｂによって支持されているので、接点部４ａが変形することがなく、頂部６ａとのスイッチングが常時良好な状態で確実に保たれる。
【００４５】
次に、本発明のスイッチの参考例となる他の実施例の図面について説明すると、図１３は本発明のスイッチの参考例となる他の実施例に係る要部斜視図である。本発明のスイッチの参考例となる他の実施例を図１３に基づいて説明すると、この参考例となる他の実施例は、突出部が第１の実施の形態ではテーパ状をなしていたことに対し、円筒状の筒部１５ｋと、蓋部１５ｍから構成されている。
【００４６】
突出部１５ｅは、基部１５ａから垂直に立設する円筒状の筒部１５ｋと、該筒部１５ｋの開放端を塞ぐように設けられたリング状の蓋部１５ｍを有し、該蓋部１５ｍの中央には丸孔１５ｆが位置している。
【００４７】
このような突出部１５ｅは、プレス加工により丸孔１５ｆを打ち抜いた後、通孔１５ｄと同等の径を有するポンチで絞り加工して筒部１５ｋが形成され、ポンチの先端にリング状の蓋部１５ｍが形成されることで製造される。
【００４８】
そして、突出部１５ｅ内に充填部１７ｅが充填され、第１の固定接点１５が支持部材に保持されることは第１の実施の形態と同様である。このようにリング状の蓋部１５ｍが設けられると、該蓋部１５ｍが、軸方向で第１の固定接点１５が支持部材１７から離れる方向でのストッパーとなるので、より強固に第１の固定接点１５が保持される。また、その他の構成については第１の実施の形態と同様なので、ここでは同一部品に同一番号を付して説明を省略する。なお、筒部１５ｋは基部１５ａから垂直に立設している必要は必ずしもなく、テーパ状になっていても良い。
【００４９】
本発明のスイッチは上記説明の構成、動作をするが、上記形態に限られないことは言うまでもなく、充填部１７ｅは第１の固定接点１５の基部１５ａの下面と面一であると説明したが、下面から凹んでいても良い。また、本発明のスイッチは多方向入力装置における傾倒スイッチとして説明したが、接点を切り替えるものであれば、エンコーダ、プッシュスイッチ等の電気部品に広く適用され、本発明のような固定接点に限らず可動側の接点としても用いられる。
【００５０】
【発明の効果】
本発明のスイッチの、接点板は、平板状の基部と、該基部を貫通する通孔と、該通孔の全周縁に渡り基部から突出する突出部とを有し、支持部材は、基部の一面を覆うように支持する基体と、通孔を介して突出部内に充填された充填部とを有し、突出部が支持部材内に埋設されることで、接点板が保持されている構成としたため、突出部と支持部材との接触面積が稼げるので、保持強度が高まる。さらに、保持強度が高いので突出部を少数設ければ良いので、加工性が良好となり、量産性が高まる。また、外部からの全方向の力に対しても強度を持たせることができ、突出部の特定の部分が変形して保持強度が低下するという恐れがない。
【００５１】
また、本発明のスイッチの充填部の他面側における端面は、接点板の他面と面一になっている構成としたため、高さ方向の厚みを稼ぐことができ、保持強度を高めることができる。
【００５２】
また、本発明のスイッチの突出部は、基部から先端に向かって幅狭でテーパ状に形成されている構成としたため、突き出し加工等の簡単な加工で、突出部を形成することができ、量産性の良好なスイッチを提供することができる。また、高さ方向の荷重を分散できるので、より強固に保持することが可能となる。また、樹脂が確実に充填できるので、通孔の径が小さくても十分な強度が確保でき、部品の小型化が図れる。
【００５３】
また、本発明のスイッチの突出部は、円筒状の筒部と、筒部の開放端を塞ぐリング状の蓋部を有する構成としたため、蓋部が突出部の抜け止め防止のストッパーとなるので、保持強度を強固にすることができる。
【００５４】
また、本発明のスイッチの突出部は、接点部を挟んだ両側に設けられている構成としたため荷重が加わる部分の外側で保持しているのでるので、スイッチ動作によっても接点板の保持強度が低下しないスイッチを提供することができる。
【００５５】
また、本発明のスイッチの接点板は複数個から構成され、隙間部を介して隣り合うように配置されて一個の支持部材によって保持され、突出部は隙間部の近傍に一対形成された構成としたため、隙間部でのスイッチ動作によっても接点板の保持強度が低下しないスイッチを提供することができる。
【００５６】
また、本発明のスイッチの接点板に、多方向に傾倒する操作部材を構成する可動接点が接離することで、接点の切換が行われる構成としたため、本発明のスイッチを多方向入力装置にも適用することができ、接点板の保持強度が強い多方向入力装置を提供することができる。
【図面の簡単な説明】
【図１】本発明のスイッチの第１の実施の形態が使用されている多方向入力装置の上面図
【図２】図１の２−２線における断面図
【図３】本発明のスイッチの第１の実施の形態が使用されている多方向入力装置の分解斜視図
【図４】本発明のスイッチの第１の実施の形態が使用されている多方向入力装置に係る下ケースの下面図
【図５】図４の５−５線における断面図
【図６】本発明のスイッチの第１の実施の形態に係る要部拡大断面図
【図７】本発明のスイッチの第１の実施の形態が使用されている多方向入力装置に係る操作部材の要部断面図
【図８】本発明のスイッチの第１の実施の形態が使用されている多方向入力装置に係る各部材が埋設された支持部材の下面図
【図９】図８の図９−９線における断面図
【図１０】ａは本発明のスイッチの第１の実施の形態に係る要部斜視図、ｂはａの１０ｂ−１０ｂ線における断面図
【図１１】本発明のスイッチの第１の実施の形態が使用されている多方向入力装置の動作を説明するための断面図
【図１２】本発明のスイッチの第１の実施の形態が使用されている多方向入力装置の動作を説明するための断面図
【図１３】  本発明のスイッチの参考例となる他の実施例に係る要部斜視図
【図１４】従来のスイッチの接点板の上面図
【図１５】従来のスイッチの回転体の上面図
【図１６】図１５の１６−１６線における断面図
【符号の説明】
１  下ケース
２  底壁部
３  側壁部
４  第２の固定接点
５  コモン接点
６  第２の可動接点
７  ケーシング
１０  操作部材
１１  第１の可動接点
１２  つまみ部
１５  接点板（第１の固定接点）
１５ａ  基部
１５ｂ  端子部
１５ｃ  細孔
１５ｄ  通孔
１５ｅ  突出部
１５ｆ  丸孔
１５ｇ  接点部
１５ｈ  隙間部
１５ｋ  筒部
１５ｍ  蓋部
１６  当接部
１７  支持部材
１７ａ  基体
１７ｂ  凸部
１７ｃ  繋ぎ部
１７ｄ  通孔
１７ｅ  充填部
１７ｆ  溝部
１８  スイッチ基板
２０  カバー部材
【図１】
0004030727.tif 000002
【図２】
0004030727.tif 000003
【図３】
0004030727.tif 000004
【図４】
0004030727.tif 000005
【図５】
0004030727.tif 000006
【図６】
0004030727.tif 000007
【図７】
0004030727.tif 000008
【図８】
0004030727.tif 000009
【図９】
0004030727.tif 000010
【図１０】
0004030727.tif 000011
【図１１】
0004030727.tif 000012
【図１２】
0004030727.tif 000013
【図１３】
0004030727.tif 000014
【図１４】
0004030727.tif 000015
【図１５】
0004030727.tif 000016
【図１６】
0004030727.tif 000017